Podtech/llm-jp-corpus-v4-ja_patent huggingface dataset:
(57)【要約】      （修正有）【課題】ブラウンガスを使用して、セラミックの特性とシリコンの特性を併せ持った合成材を作る方法の提供。【解決手段】最初にセラミック（アルミナＡｌ２Ｏ３）３及びシリコン（ケイ素Ｓｉ）共、細かくしておき、まずセラミック３をるつぼ２に入れ、ブラウンガス（酸水素がス）を使用して溶融し、その溶融した高温のセラミックにシリコンを混入し、素早く均一に混ぜ、シリコンが溶融して均一な組成が得られたら、型枠に流し込みローラーコンベアー１２で保管場所に移し徐々に冷却し、その後、強度を確認して加工するセラミック・シリコン合成材１５。【選択図】図１
2016199451.tif 000002
【特許請求の範囲】
【請求項１】
セラミックとシリコンの細かな粒子をブラウンガスで製造する工法。
【請求項２】
シリコンの特性を損なうことなく、セラミックの特性を受け継ぐ材料。
【請求項３】
セラミックとシリコンの配合比率を自由に変えられる工法。
【請求項４】
燃料電池、放射能の除染等に使用。
【発明の詳細な説明】
【技術分野】
【０００１】本発明は、セラミックの利点とシリコンの持つ特性を兼ね備えた合成材を製造するものである。
【背景技術】
【０００２】セラミックの特性は耐火材、高硬度、高融点、研磨材等で金属より、軽く、プラスチックより重い。また、シリコンは耐熱性（４００℃）、燃焼、爆発しない。さらに、分解生成物は主にシリカと二酸化炭素で危険性が低い。化学的に安定していて生体への毒性が小さい。  絶縁耐力に優れ、紫外線や放射線にある程度耐える。  そのためこの合成材は除染に適しているかもしれない。  壁材として大変良い。  また燃料タンクにも最適である。
【先行技術文献】
【特許文献】
【０００３】現在はセラミックとシリコンを合成材にしたものはない。
【発明の概要】
【発明が解決しようとする課題】
【０００４】セラミックの融点は２，０７２℃でシリコンの融点は１，４１０℃である。  最初にセラミック及びシリコン共、細しておき、セラミックを炉壺に入れ下部あるいは上部左右から燃焼する。その際に燃焼温度は２，０７２℃位必要がある。  したがって、ブラウンガス（酸水素がス）を使用する。  炉内でセラミックが溶融したなら、第２工程の炉壺に入れ、そこにシリコンの粉砕粒を入れる。  この炉壺にも同様にバーナーで燃焼するが、シリコンが昇華しないように気を付ける。
あくまでも、両者の特性を壊してはいけない。  ここで、均一に混ぜてから型枠に流し込み急激に冷やさず、徐々にゆっくり冷やす。
その後、常温になってから注意しながら型枠から取り外す。
【課題を解決するための手段】
【０００５】セラミック・シリコン合成材製造の基本構造は次による。
セラミックの溶融温度が高いのでセラミックから先に炉壺に入れて溶融してからその後シリコンを混入する。  シリコンが溶融して均一に混ざると、これを慌てずゆっくりと冷やす。  急減に冷やすと脆性破壊が起こる。セラミックは酸化アルミニウムＡｌ２Ｏ３（アルミナ）を使用する。
シリコンはケイ素Ｓｉを使用する。
（イ）  まず粉砕機でセラミックを細かく粉砕しておく。
（ロ）  最初の炉壺にセラミックを入れ、まずセラミックを溶融する。
溶融温度は２，０７２℃以上とする。    （溶融温度は２，０７２℃）上下左右      からでも良いが、ブラウンガスを使い上面から直に燃焼しても十分溶融することが      できる。
（ハ）  次に溶融したセラミックを第２の炉壺に入れ、そこに粉砕したシリコンを入れる      。  セラミックの溶融温度は２，０７２℃であるので２，０７２℃の溶融温度が非      常に高いのでシリコンを入れ  素早く均一に混ぜ、型枠に流し込みローラーコンベ      アーで保管場所へ入れてゆっくり冷やす。
（ニ）  十分強度を確認して型枠から取り出す。
【発明の効果】
【０００６】金属より軽く、プラスチックより重い。  耐火材、高強度、研磨材と言ったセラミックの特性に耐熱性、燃焼、爆発しない、分解生成物は主としてシリカと二酸化炭素で危険性が低い等のシリコンの特性をも合わせ持つ合成材は燃料電池の燃料タンクや紫外線、放射線にある程度耐えるので除染した汚染物の入れ物としても良い。
（イ）  水素は爆発の危険性は高いが、このセラミック・シリコン合成材を使うと安全性      は高い。  燃料電池の燃料タンクに適している。
（ロ）  除染した時に発生する汚染物の入れ物にも適している。
（ハ）  もちろん、建材としても耐火性、耐熱性、や電気絶縁性が高い等いろいろセラミ      ックとシリコンの特性を持った大変便利なものである。
（ニ）  ブラウンガスやプロパンガスなどのタンクにも良い。
（ホ）  衛生器具、便器類にも使用すると便利である。
【図面の簡単な説明】
【０００７】
【図１】  本発明のシステム図である。
【発明を実施するための形態】
【０００８】本発明者は燃料電池の燃料タンクや放射能の除染時に発生した汚染物の入れ物や建築の建材など利用価値が多い。
【構造】
【０００９】セラミック・シリコンの組合せであるため、それらの機能を生かしながらの使用である。  高機能材であるため、燃料電池のタンクや除染時の汚染物の入れ物や建築の建材に適している、など用途は多い。
セラミックの溶融点は２，０７２℃前後、シリコンは１，４１０℃である。
これらの溶融点の違いから、まずセラミックを溶かして、次にシリコンを混ぜ目的の合成材を達成する。
【本発明を使用するときは以下の手順で行う】
【００１０】（イ）セラミックと同じやり方で加工していけば良い。
（ロ）耐火材、高硬度、高融点、研磨材として金属より軽く、プラスチックより重い。ま      た、分解生成物は主にシリカと二酸化炭素で危険性が低い。化学的に安定。生体へ      の毒性が小さい。電気絶縁性が比較的高い。絶縁耐力に優れ、紫外線や放射線にあ      る程度耐える。
（ハ）建築の建材（特に壁材）に適している。
（ニ）衛生器具、便器類に使用できる。
【符号の説明】
【００１１】  １．粉砕機
２．炉壺（１）
３．セラミック
４．下部バーナー（１）
５．上部バーナー（１）
６．ローラーコンベアー（１）
７．型枠（１）
８．炉壺（２）
９．下部バーナー（２）
１０．上部バーナー（２）
１１．シリコン
１２．ローラーコンベアー（２）
１３．型枠（２）
１４．保管場所
１５．セラミック・シリコン合成材
【図１】
2016199451.tif 000003
(57)【要約】【課題】食材を素手で掴みスライスする場合、指先等を怪我することがある。  怪我を防ぐために安全ホルダー等が使用されているが、全ての食材に適応されない。又、最初から最後までスライスされない事や、他のスライサーにおいて使用不可能等の問題があった。  本発明はスライサー用の、スライサー安全手袋を提供する。【解決手段】耐切断性及び非吸水性の網目状素材からなる手袋を特徴とするスライサー安全手袋。【選択図】図１
2016199839.tif 000002
【特許請求の範囲】
【請求項１】
耐切断性及び非吸水性の網目状素材からなるスライサー安全手袋。
【発明の詳細な説明】
【技術分野】
【０００１】  本発明は、調理器具のスライサーによる怪我を防ぐ、スライサー安全手袋に関するものである。
【背景技術】
【０００２】  従来、調理器具のスライサーを使用する際は、素手で食材を掴みスライスするか、もしくは怪我を防ぐために安全ホルダーを使用していた。
【発明の概要】
【発明が解決しようとする課題】
【０００４】  食材を素手で掴みスライスする場合、指先等を怪我することがある。
怪我を防ぐために安全ホルダー等が使用されているが、全ての食材に適応されない。又、最初から最後までスライスされない事や、他のスライサーにおいて使用不可能等の問題があった。
本発明は以上の問題点を解決するためになされたものである。
【課題を解決するための手段】
【０００５】    耐切断性及び非吸水性の網目状素材からなる手袋である。
以上の構成よりなるスライサー安全手袋。
【発明の効果】
【０００６】  手袋の形状とすることで、全ての食材を掴むことができ、最後までスライスすることが可能である。また、他のスライサーにも使用でき、耐切断性の素材により、スライサーの刃による怪我の危険性がない。素材を網目状にすることで食材が滑りにくく、作業性、安全性が増す。また、使用後の洗浄も、外側だけでなく内側も洗浄でき、非吸水性素材にすることで、食材の成分が染み込まず衛生的である。
【図面の簡単な説明】
【０００７】
【図１】本発明の斜視図
【図２】本発明の使用状態を示す図
【発明を実施するための形態】
【０００８】  以下、本発明の実施の形態を説明する。
本体（１）は耐切断性及び非吸水性の網目状素材の手袋である。
網目状であるため、食材（３）を持ったときに滑りにくく、使用後の洗浄は本体（１）の外側だけではなく、内側も洗浄することができる。
本発明は以上のような構造である。
本発明を使用するときは、本体（１）で食材（３）を掴み、スライサー（２）によりスライスする。
手袋の形状にすることで、全ての食材（３）を掴むことができ、最後までスライスすることが可能である。
【符号の説明】
【０００９】  １  本体、２  スライサー、３  食材
【図１】
2016199839.tif 000003
【図２】
2016199839.tif 000004
(57)【要約】【課題】多くの女性が悩んでいるパンティストッキングやスラックスの股部分への喰いこみの解消【解決の手段】ショーツ形態の下穿き補正下着の股下、マチ部分（Ａ）を厚めの布地やパットで補強補整縫合をした下着の提供【選択図】図１
2016199838.tif 000002
【特許請求の範囲】
【請求項１】
パンティストッキングやスラックス（パンツ）等着用時に多い股部分への生地喰い込み防止を目的とした女性用ショーツ（ガードル）形態の下穿きの提供
【発明の詳細な説明】
【技術分野】
【０００１】パンティストッキングやスラックス（パンツ）等を穿いた場合の股部分への喰いこみ防止のショーツ状下穿きで、下着に関するもの
【発明の概要】
【発明が解決しようとする課題】
【０００２】女性がパンティストッキングやスラックス等を穿く場合、商品によって、或いはデザインによって股部分に喰い込みが生じ、圧迫や擦れにより不快感に繋がることが多くあり、その防止対策手段を考えた。
【課題を解決するための手段】
【０００３】補正用のガードル等、ショーツの上に履く下着の股下（底）部分のマチ（Ａ）をパットや布地で厚めにしかも撚れにくいよう補整し、喰い込みの防止を工夫した下穿き下着の製作
【発明の効果】
【０００４】喰いこみの強いパンティストッキングやスラックス等を穿く時、肌着ショーツの上にこの下穿下着きを穿くことにより、その上から着用するこれらの被服の股部分への喰いこみを防止し、デリケート部分を保護し不快感をなくす事ができる。
又、被服購入時にも喰いこみの心配をすることなく安心して求められる。
【発明を実施するための形態】
【０００５】女性の補整用ショーツの股部分のマチに、外見的には識別の影響がなく、判別できないくらいの大きさ（概容５ｃｍ×１２〜３センチ程度）、厚さ（パットや厚めの布地）の当て布を補整縫合したショーツ形態の下穿き下着の提供。
なお、重ね着を嫌うタイプの女性には肌に直接つけるショーツにこの補整を施しても同じ効果は得られるので、重ね着を嫌う人向けにはこの方法でもよい
【図面の簡単な説明】
【０００６】
【図１】正面図
【図２】背面図
【図３】側面図
【図１】
2016199838.tif 000003
【図２】
2016199838.tif 000004
【図３】
2016199838.tif 000005
(57)【要約】【課題】タービン補修作業中における各種工具や足場板等の落下による復水器内冷却管の損傷を容易かつ確実に防止することができる、復水器内冷却管の養生方法を提供する。【解決手段】復水器１内に配された冷却管４を養生する方法において、袋体と、袋体内に入れられた緩衝材とからなる緩衝部材１０を冷却管４の上部に隙間なく敷き詰めて、冷却管４を覆う。【選択図】図１
2016121815.tif 000002
【特許請求の範囲】
【請求項１】
復水器内に配された冷却管を養生する方法において、
袋体と、前記袋体内に入れられた緩衝材とからなる緩衝部材を前記冷却管の上部に隙間なく敷き詰めて、前記冷却管を覆うことを特徴とする、復水器内冷却管の養生方法。
【請求項２】
前記緩衝材は、板状スポンジを折り曲げたものからなることを特徴とする、請求項１に記載の、復水器内冷却管の養生方法。
【請求項３】
前記緩衝材は、蓋を外した複数個のペットボトルからなることを特徴とする、請求項１に記載の、復水器内冷却管の養生方法。
【発明の詳細な説明】
【技術分野】
【０００１】
この発明は、復水器内冷却管の養生方法、特に、タービン補修作業中における各種工具や足場板等の落下による復水器内冷却管の損傷を容易かつ確実に防止することができる、復水器内冷却管の養生方法に関するものである。
【背景技術】
【０００２】
図６に、復水器からの復水の循環経路を示す。図示のように、復水器１は、発電機２を回転させるタービン３を通過した蒸気を、水が循環する冷却管４と接触させて水に戻し、復水させる装置である。復水は、ポンプ５により蒸気発生器６を介して、再度、タービン３に送られる。
【０００３】
図１に、復水器の詳細な断面図を示す。図示のように、タービン３の補修時には、復水器１の上部にネット７と防災シート８を張り渡し、冷却管４の上部に養生用の足場板９を設置する。
【発明の概要】
【発明が解決しようとする課題】
【０００４】
上述したように、タービン３の補修に際しては、冷却管４の養生を行うが、露出している冷却管４の全てを隙間なく養生することはできないので、タービン補修作業中における各種工具や足場板等の落下による冷却管４の損傷事故を確実に防止することはできなかった。
【０００５】
従って、この発明の目的は、タービン補修作業中における各種工具や足場板等の落下による復水器内冷却管の損傷を容易かつ確実に防止することができる、復水器内冷却管の養生方法を提供することにある。
【課題を解決するための手段】
【０００６】
この発明は、上記目的を達成するためになされたものであり、下記を特徴とするものである。
【０００７】
請求項１に記載の発明は、復水器内に配された冷却管を養生する方法において、袋体と、前記袋体内に入れられた緩衝材とからなる緩衝部材を、前記冷却管の上部に隙間なく敷き詰めて、前記冷却管を覆うことに特徴を有するものである。
【０００８】
請求項２に記載の発明は、請求項１に記載の発明において、前記緩衝材は、板状スポンジを折り曲げたものからなることに特徴を有するものである。
【０００９】
請求項３に記載の発明は、請求項１に記載の発明において、前記緩衝材は、蓋を外した複数個のペットボトルからなることに特徴を有するものである。
【発明の効果】
【００１０】
この発明によれば、袋体と、袋体内に入れられた緩衝材とからなる緩衝部材を冷却管の上部に隙間なく敷き詰めて冷却管を覆うことにより、タービン補修作業中における各種工具や足場板等の落下による復水器内冷却管の損傷を容易かつ確実に防止することができる。
【図面の簡単な説明】
【００１１】
【図１】この発明により冷却管を養生した復水器を示す断面図である。
【図２】図１の部分拡大平面図である。
【図３】この発明に使用する緩衝部材の袋体を示す斜視図である。
【図４】この発明に使用する緩衝材を示す断面図である。
【図５】この発明に使用する他の緩衝材を示す部分平面図である。
【図６】復水器からの復水の循環経路を示す図である。
【発明を実施するための形態】
【００１２】
この発明の、復水器内冷却管の養生方法の一実施態様を、図面を参照しながら説明する。
【００１３】
図１は、この発明により冷却管を養生した復水器を示す断面図、図２は、図１の部分拡大平面図、図３は、この発明に使用する緩衝部材の袋体を示す斜視図、図４は、この発明に使用する緩衝材を示す断面図である。
【００１４】
図１および図２に示すように、この発明は、タービン３の補修時に、復水器１内に配された冷却管４を養生する方法であり、緩衝部材１０を冷却管４の上部に隙間なく敷き詰めて冷却管４を緩衝部材１０により覆い、かくして、各種工具や足場板等の落下による冷却管４の損傷を防止するものである。なお、図２は、冷却管４の一部を緩衝部材１０により覆ったずである。
【００１５】
緩衝部材１０は、例えば、４００ｍｍ×１０００ｍｍ×１５０ｍｍの大きさを有している。緩衝部材１０をこのような大きさにすることによって、持ち運びが容易に行え、かつ、軽量化を図ることができる。また、大面積の緩衝部材により冷却管４を養生する場合に比べて、露出している冷却管４の全てを隙間なく覆うことができるので、各種工具や足場板等の落下による冷却管４の損傷を容易かつ確実に防止することができる。さらに、反復使用が可能であるので、経済的である。
【００１６】
図３に示すように、緩衝部材１０は、チャック１１により開閉可能な袋体１２と、袋体１２内に入れられた緩衝材１３とからなっている。
【００１７】
袋体１２は、難燃性の布等からなり、チャック１１を開いて緩衝材１３を袋体１２内に入れ、チャック１１を閉じることにより構成される。
【００１８】
緩衝材１３は、図４に示すように、難燃性の板状スポンジ１４を折り曲げたもの、あるいは、図５に示すように、蓋を外した複数個のペットボトル１５からなっている。ペットボトル１５の蓋を外すことによって、緩衝効果がより増大する。ペットボトル１５は、袋体１２内に、図５に示すように、並べて入れても、あるいは、ランダムに入れても良い。
【００１９】
この発明によれば、タービン３の補修時に、誤って各種工具や足場板等を落下させても、各種工具や足場板等は、緩衝部材１０上に落下して衝撃が緩和される結果、冷却管４を損傷させる恐れはない。また、緩衝部材１０は、軽量かつ小型であるので、持ち運びが容易に行え、しかも、露出している冷却管４の全てを隙間なく覆うことができるので、各種工具や足場板等の落下による冷却管４の損傷を容易かつ確実に防止することができる。さらに、反復使用が可能であるので、経済的である。
【符号の説明】
【００２０】
１：復水器
２：発電機
３：タービン
４：冷却管
５：ポンプ
６：蒸気発生器
７：ネット
８：防災シート
９：足場板
１０：緩衝部材
１１：チャック
１２：袋体
１３：緩衝材
１４：板状スポンジ
１５：ペットボトル
【図１】
2016121815.tif 000003
【図２】
2016121815.tif 000004
【図３】
2016121815.tif 000005
【図４】
2016121815.tif 000006
【図５】
2016121815.tif 000007
【図６】
2016121815.tif 000008
(57)【要約】      （修正有）【課題】雨の降り込みを防止しながら換気を妨げない網戸用雨よけパネルを提供する。【解決手段】網戸のサッシ枠に設けられる網押さえゴムを差し込む為の厚みを利用して、サッシ枠の外側に張られた網と窓ガラス枠の間に生じる空間に対し、その空間に収まる厚みの支柱１ａ、１ｂと、両端が支柱両側に差し込まれ、空間に収まる幅の折り返付きの雨よけパネル２と、網側支柱１ｂの保持と連結を行うチャンネル材にサッシと網の間への差込み部を設けた固定・連結具３で構成される。【選択図】図３
2016121517.tif 000002
【特許請求の範囲】
【請求項１】
網戸のサッシ枠内側の、網押さえゴムを差し込む構造上生じる網と窓ガラス枠の間隙に対し、その空間に収まる厚みの支柱と、収まる幅の折り返しの付いたパネルと、支柱が収まり保持と連結を行うチャンネル材にサッシと網の間への差込み部を設けた固定・連結具により、構成された網戸用雨よけパネル。
【発明の詳細な説明】
【技術分野】
【０００１】  本発明は、住宅等の窓枠を利用する網戸用雨よけパネルに関するものである。
【背景技術】
【０００２】  従来の窓用の雨よけは、専用の窓枠によって、開閉式で外側に張り出させる方法や、窓枠に後付けで設置するブラインドパネルなどがある。（特許文献１参照）
又、網戸枠外側に取り付けるブラインドパネルがある。（特許文献２参照）
【先行技術文献】
【特許文献】
【０００３】
【特許文献１】登録実用新案第３０６７０５５号広報
【特許文献２】登録実用新案第３１６８９４１号広報
【特許文献３】特開２００１−２０７７４６号広報
【特許文献４】特開２００３−２７８５８号広報
【発明の概要】
【発明が解決しようとする課題】
【０００４】  夏場に部屋を閉め切っていると、室内温度が高温になり、ペットなどを室内で飼育している場合は適度な換気が必要になる。
又、従来の住宅用窓施工は十分な庇を設置することが少なく、雨の降り込み時、室内が水浸しになることがある。
従来、窓枠外側に取り付ける雨よけパネルがあるが、コストが掛かかり、外に大きく張り出す形状である為、外観を損ねてしまっていた。
窓枠や網戸サッシに取り付けるブラインド型の雨よけは、防雨機能を高める為パネルの重なり部が大きく、風の流れを妨げてしまっていた。
本発明は、以上の問題点を解決するものである。
【課題を解決する手段】
【０００５】  網戸のサッシ枠には網押さえゴムを差し込む為の厚みが設けてあるので、サッシ枠の外側に張られた網と窓ガラス枠の間に生じる空間に対し、その空間に収まる厚みの支柱と、収まる幅の折り返し付きのパネルと、支柱が収まり保持と連結を行うチャンネル材にサッシと網の間への差込み部を設けた固定・連結具により、構成された網戸用雨よけパネル。
【発明の効果】
【０００６】  通常の雨の場合、十分な庇がある時と同じ雨よけができる。
網戸枠の内側に収まるので、家の外観を損なうことがない。
又、必要な範囲のみにパネルを設置し、必要のない範囲は支柱よりパネルを取り外せる事ができるので、視界と風の通りを妨げず最小限にすることができる。
そして、取り付け部品を使わないため、設置の際に網戸サッシを傷ることはない。
【図面の簡単な説明】
【０００７】
【図１】本発明の外観斜視図
【図２】本発明の内観斜視図
【図３】本発明の組立て状態を示す斜視図
【図４】本発明の組立て状態を示す裏側斜視図
【図５】サッシ側支柱の一部拡大図
【図６】網側支柱一部拡大図
【図７】雨よけパネル拡大図
【図８】固定・連結具拡大図
【発明を実施するための形態】
【０００８】  以下、本発明の実施の形態を説明する。
（イ）網戸サッシ（１０）内にゆとりを持って収まる幅の角柱による支柱（１ａ、１ｂ）に対し、雨よけパネル（２）が収まる幅の溝を、上下方向に対して角度を付け、雨が降り込まない程度に等間隔で施す。これを勝手違いの形状で作製し、サッシ側支柱（１ａ）・網側支柱（１ｂ）とする。
（ロ）雨よけパネル（２）は上方向に折り返し（９）を設け、網戸サッシ（１０）内に収まる幅の雨よけパネル（２）を支柱の溝（７）の数だけ設ける。
（ハ）固定・連結具（３）の内角が支柱（１ｂ）が納まる幅のチャンネル材の上下先端に対し、テーパーを施した突き出し部（４）を設ける。チャンネル奥の一辺に両面粘着シート（６）を貼付ける。連結具としての使用に加え、網戸サッシ（１０）の網とサッシの間（ａ）（１２）と網とサッシの間（ｂ）（１３）の両側に対し差込みによる固定を行う為、連結した支柱の組数より１個多く作製する。
（二）網戸の網目を通すてぐす（５）を適度の長さで用意する。
本発明は以上のような構造である。
本発明を使用するときは、サッシ側支柱（１ａ）を網戸サッシ内側に両面粘着シート（６）もしくはてぐす（５）で固定する。間が開かないように別のサッシ側支柱（１ａ）を積み重ねるように固定し、最後に網戸サッシ（１０）内側高さよりはみ出すサッシ側支柱（１ａ）は切断し、長さを調節する。
網側支柱（１ｂ）の下部に固定・連結具（３）を突き出し部（４）が突き出すように両面粘着シート（６）により貼り付ける。固定・連結具（３）を網側支柱（１ｂ）上部に対して下半分を貼り付け、別の網側支柱（１ｂ）を上半分に貼り付けることで網側支柱（１ｂ）どうしを連結させる。またその上部に同じく網側支柱（１ｂ）を連結して行き、最上部の網側支柱（１ｂ）を網戸サッシ（１０）内側高さに合わせて切断した後、固定・連結具（３）を突き出し部（４）が突き出すように貼り付ける。
雨よけパネル（２）の両端（８）を支柱の溝（７）に差込み組み、支柱両側と連絡させる。網側支柱（１ｂ）の下部に取り付けた固定・連結具（３）の突き出し部（４）を網戸（１４）の網とサッシの間（ｂ）（１３）に差し込み、雨よけパネル（２）を溝（７）に差込みながら、連結した網側支柱（１ｂ）の上部に取り付けた固定・連結具（３）の突き出し部（４）を同じく網とサッシの間（ａ）（１２）に差し込む。
全ての雨よけパネル（２）を支柱（１ａ、１ｂ）の溝（７）に差し込んだ後、てぐす（５）を使い、網側支柱（１ｂ）を網戸（１４）の網（１１）に数箇所結びつけて固定する。
網戸用網よけパネルを取り付けた状態で、ガラス窓（１５）を網側支柱（１ｂ）の位置に合わせて開き、換気を行う事ができる。
【符号の説明】
【０００９】  １ａ  サッシ側支柱、１ｂ  網側支柱、２  雨よけパネル、３  固定・連結具、
４  突き出し部、５  てぐす、６  両面粘着シート、７  溝、
８  雨よけパネル両端、９  折り返し部、１０  網戸サッシ、１１  網、
１２  網とサッシの間ａ、１３  網とサッシの間ｂ、１４  網戸、１５  ガラス窓
【図１】
2016121517.tif 000003
【図２】
2016121517.tif 000004
【図３】
2016121517.tif 000005
【図４】
2016121517.tif 000006
【図５】
2016121517.tif 000007
【図６】
2016121517.tif 000008
【図７】
2016121517.tif 000009
【図８】
2016121517.tif 000010
(57)【要約】【課題】患者の呼気や吸気の乱流を抑え流量測定の精度の向上と患者間の感染を防止する肺活量計に用いる超音波流量計を提供する。【解決手段】測定管の流路の上流と下流とに一対の超音波振動子を持つ構成で、患者の呼気や吸気によって測定管内を流れる気体に乱れや渦が発生しても正確に測定することができ、また、超音波を伝搬させるための穴を有し整流のための構造を持つ管は容易に取り外しが可能で交換式として使用する事ができ患者間の感染防止機能を維持する整流構造からなる。【選択図】図１
2016121977.tif 000002
【特許請求の範囲】
【請求項１】
超音波式肺活量計や肺機能計の測定管内に、流量を正確に測定する目的で、患者の呼気や吸気を整流する機構を持つ整流機構付超音波式肺活量計。
【請求項２】
超音波式肺活量計や肺機能計の測定管内に、流量を正確に測定する目的で、患者の呼気や吸気を整流する構造を持つ管を交換式として差し込み設置する構造の整流機構付超音波式肺活量計。
【請求項３】
超音波式肺活量計や肺機能計の測定管内に、流量を正確に測定する目的で、患者の呼気や吸気の整流形状について、測定管流路の中心付近に円形に分割する形状の整流機構付超音波式肺活量計。
【請求項４】
超音波式肺活量計や肺機能計の測定管内に、流量を正確に測定する目的で、患者の呼気や吸気の整流形状について、測定管流路を中心から放射線状に直線または曲線で４から８分割する形状の整流機構付超音波式肺活量計。
【請求項５】
超音波式肺活量計や肺機能計の測定管内に、流量を正確に測定する目的で、患者の呼気や吸気の整流形状について、測定管流路を格子状に直線で９から１６分割する形状の整流機構付超音波式肺活量計。
【請求項６】
超音波式肺活量計や肺機能計の測定管内に、流量を正確に測定する目的で、患者の呼気や吸気の整流形状について、請求項３から５を複合的に使用する形状の整流機構付超音波式肺活量計。
【発明の詳細な説明】
【技術分野】
【０００１】  本発明は、超音波流量計を利用した、肺活量計の整流機構に関するものである。
【背景技術】
【０００２】  従来の超音波流量計を用いた肺活量計の測定部は、管状であり、流路の上流と下流とに一対の超音波振動子からなる超音波伝搬路を気体の流れの方向に斜交して設け、上流側の振動子から流れの方向に超音波を発信し、この超音波を下流側の振動子で受信し、振動子への超音波の伝搬時間を計測する。また、逆に下流側の振動子から流れに逆らって超音波を発信し、この超音波を上流側の振動子で受信し、振動子への超音波の伝搬時間を計測する動作を繰り返す。【０００３】  この２つの伝搬時間の差から測定管内の流速を算出し、あらかじめ解っている流路の断面積、超音波伝搬路と流路との交叉角などから、流体すなわち患者の行う呼吸の吸気（吸い込み方向）と呼気（吐出し方向）の流量を検知している。【０００４】  また、超音波流量計を用いた肺活量計の特徴として、測定管の流路に絞りや突起物が無いので、流路内部に管を差し込んで使用することで、患者の呼気から飛散する菌や唾液から流路を防御する事が可能で、その管を患者毎に交換することで患者間の感染防止が可能である。
【発明の概要】
【発明が解決しようとする課題】
【０００５】  肺活量計や肺機能計について、測定する流量測定範囲が０〜９６０リットル毎分と大きいために、測定部の流路内を流れる流体に乱流や渦流が発生する。また、吸気（吸い込み方向）と呼気（吐出し方向）について、乱流や渦流の挙動が異なるために超音波式の流量計を利用した肺活量計は正確な測定が出来ない。そこで乱流や渦流の影響無く肺活量や肺機能を測定するために流路内での呼気や吸気の流れを整流する事が課題となる。尚、これを使用する患者間の感染防止機能を維持する整流構造である事も課題となる。
【課題を解決するための手段】
【０００６】  この解決には、超音波式肺活量計や肺機能計の測定管の流路内に、整流構造が付属した取り外しが可能な管を差し込んだ状態で使用する事により解決する。この管は整流構造の他に超音波の伝搬経路位置に穴やスリットを設けて超音波の伝搬を容易とする。
本発明は、以上の構成からなる整流機構付超音波式肺活量計である。
【発明の効果】
【０００７】  本発明の整流機構付超音波式肺活量計は、測定管内の流路部に、整流構造が付属した構造で容易に取り外しが可能な管を差し込み使用する事により、患者の呼気と吸気の双方の乱流を抑えることで、高精度な流量測定値が得られる。【０００８】  測定管内の流路部に、整流構造が付属した構造で容易に取り外しが可能な管を差し込み使用する事により、患者毎にその管を交換使用する方法で、患者の吸気呼気から発せられる唾液飛沫や菌類が測定管を介して他の患者に伝搬する事を防ぎ患者間の感染を防止する事を可能とする。
【図面の簡単な説明】
【０００９】
【図１】本発明の全体図である。
【図２】本発明の測定管から取り外した整流管を示した図である。
【図３】本発明の整流機構の代表的な分割形状を示した図である。
【発明を実施するための形態】
【００１０】  図１は、測定管流路に、整流機構のある管を挿入した発明品の利用例である。図２は、整流のための管の単体の図で、超音波の伝搬経路となる穴と整流機構の位置を説明している。図３は、整流のための管内部に設置した代表的な整流形状を表している。
【００１１】  ２つの伝搬時間の差から測定管内の流速を算出し、あらかじめ解っている流路の断面積、超音波伝搬路と流路との交叉角などから、呼気側と吸気側の２つの伝搬時間の差から測定管内を流れる気体の流速を算出し、また、測定管内に整流構造を設けることで、流量を正確に測定する事が可能である。
【００１２】  超音波を利用してガスなど気体の流量を計測する超音波流量計を利用し、測定管の内側に整流機構のある管を取り換え可能な形状で用いる事で、患者の呼気や吸気の乱流を抑え流量測定の精度の向上と患者間の感染を防止することが可能となる。
【００１３】  超音波式肺活量計や肺機能計の測定管内に、流量を正確に測定するため、患者の呼気や吸気の整流形状について、測定管流路の中心付近に円形に分割する形状を採用している。
【００１４】  また、測定管流路を中心から放射線状に直線または曲線で４から８分割する形状を採用している。
【００１５】  更に、測定管流路を格子状に直線で９から１６分割する形状をもつ。
【００１６】  更に、測定管流路の中心付近に円形に分割する形状、測定管流路を中心から放射線状に直線または曲線で４から８分割する形状、測定管流路を格子状に直線で９から１６分割する形状を複合的に使用する形状の整流機構をもつ。
【符号の説明】
【００１７】１  測定管
２  超音波素子
３  超音波伝搬経路となる穴
４  整流のための管
５  整流構造
６  患者の使用側
【図１】
2016121977.tif 000003
【図２】
2016121977.tif 000004
【図３】
2016121977.tif 000005
(57)【要約】【課題】落下物による衝撃を確実に緩和することができ、落下物による損傷防止のために行う養生が容易かつ確実に行え、小型かつ軽量化が図れるので、持ち運びが容易で、しかも、安価で反復使用が可能な緩衝部材を提供する。【解決手段】袋体２と、袋体２内に入れられた緩衝材としてのペットボトル３とからなり、ペットボトル３は、蓋が外されている。【選択図】図１
2016121433.tif 000002
【特許請求の範囲】
【請求項１】
袋体と、前記袋体内に入れられた緩衝材とからなり、前記緩衝材は、ペットボトルからなることを特徴とする緩衝部材。
【請求項２】
前記ペットボトルは、蓋が外されていることを特徴とする、請求項１に記載の緩衝部材。
【発明の詳細な説明】
【技術分野】
【０００１】
この発明は、緩衝部材、特に、落下物による衝撃を確実に緩和することができ、落下物による損傷防止のために行う養生が容易かつ確実に行え、小型かつ軽量化が図れるので、持ち運びが容易で、しかも、安価で反復使用が可能な緩衝部材に関するものである。
【背景技術】
【０００２】
落下物による損傷の恐れがある工事の一例として、復水器上に設置されたタービンの補修工事がある。
【０００３】
復水器について簡単に説明する。
【０００４】
図４に、復水器からの復水の循環経路を示すが、復水器１１は、発電機１２を回転させるタービン１３を通過した蒸気を、水が循環する冷却管１４と接触させて水に戻し、復水させる装置である。復水は、ポンプ１５により蒸気発生器１６を介して、再度、タービン１３に送られる。
【０００５】
図２に、復水器の詳細な断面図を示す。図示のように、タービン３の補修時には、復水器１１の上部にネット１７と防災シート１８を張り渡し、冷却管１４の上部に養生用の足場板１９を設置する。
【発明の概要】
【発明が解決しようとする課題】
【０００６】
上述したように、タービ１ン３の補修に際しては、冷却管１４の養生を行うが、露出している冷却管１４の全てを隙間なく養生することはできないので、タービン補修作業中における各種工具や足場板等の落下による冷却管４の損傷事故を確実に防止することはできなかった。
【０００７】
従って、この発明の目的は、落下物による衝撃を確実に緩和することができ、落下物による損傷防止のために行う養生が容易かつ確実に行え、小型かつ軽量化が図れるので、持ち運びが容易で、しかも、安価で反復使用が可能な緩衝部材を提供することにある。
【課題を解決するための手段】
【０００８】
この発明は、上記目的を達成するためになされたものであり、下記を特徴とするものである。
【０００９】
請求項１に記載の発明は、袋体と、前記袋体内に入れられた緩衝材とからなり、前記緩衝材は、ペットボトルからなることに特徴を有するものである。
【００１０】
請求項２に記載の発明は、請求項１に記載の発明において、前記ペットボトルは、蓋が外されていることに特徴を有するものである。
【発明の効果】
【００１１】
この発明によれば、落下物による衝撃を確実に緩和することができ、落下物による損傷防止のために行う養生が容易かつ確実に行え、小型かつ軽量化が図れるので、持ち運びが容易で、しかも、安価で反復使用が可能である。
【図面の簡単な説明】
【００１２】
【図１】この発明の緩衝部材を示す斜視図である。
【図２】この発明の緩衝部材により冷却管を養生した復水器を示す断面図である。
【図３】図２の部分拡大平面図である。
【図４】復水器からの復水の循環経路を示す図である。
【発明を実施するための形態】
【００１３】
この発明の緩衝部材の一実施態様を、タービン補修時の復水器の養生を例にあげて、図面を参照しながら説明する。
【００１４】
図１は、この発明の緩衝部材を示す斜視図、図２は、この発明の緩衝部材により冷却管を養生した復水器を示す断面図、図３は、図２の部分拡大平面図である。なお、図３は、一部の冷却管を緩衝部材により養生した図である。
【００１５】
図１に示すように、この発明の緩衝部材１は、チャック２ａにより開閉可能な袋体２と、袋体２内に入れられた緩衝材としての複数本のペットボトル３からなっている。
【００１６】
ペットボトル３の蓋を外すことによって、緩衝効果がより増大する。ペットボトル３は、袋体２内に、図示のように、整列させて入れても、ランダムに入れても良い。
【００１７】
袋体２は、難燃性の布等からなり、チャック２ａを開いてペットボトル３を袋体２内に入れ、チャック２ａを閉じることにより構成される。
【００１８】
緩衝部材１は、タービン１３の補修時に、復水器１１内に配された冷却管１４を養生する機能を有している。すなわち、図２、図３に示すように、緩衝部材１は、これを冷却管１４の上部に隙間なく敷き詰めて冷却管１４を緩衝部材１により隙間なく覆い、かくして、各種工具や足場板等の落下による冷却管１４の損傷を防止する機能を有している。
【００１９】
緩衝部材１は、例えば、４００ｍｍ×１０００ｍｍ×１５０ｍｍの大きさを有している。緩衝部材１をこのような大きさにすることによって、持ち運びが容易に行え、かつ、軽量化を図ることができる。また、大面積の緩衝部材により冷却管１４を養生する場合に比べて、露出している冷却管１４の全てを隙間なく覆うことができるので、各種工具や足場板等の落下による冷却管１４の損傷を容易かつ確実に防止することができる。さらに、反復使用が可能であるので、経済的である。
【００２０】
この発明によれば、タービン１３の補修時に、誤って各種工具や足場板等を落下させても、各種工具や足場板等は、緩衝部材１上に落下する結果、冷却管１４を損傷させる恐れはない。また、緩衝部材１は、軽量かつ小型であるので、持ち運びが容易に行え、しかも、露出している冷却管１４の全てを隙間なく覆うことができるので、各種工具や足場板等の落下による冷却管１４の損傷を容易かつ確実に防止することができる。さらに、反復使用が可能であるので、経済的である。
【００２１】
以上は、この発明の緩衝部材をタービン補修時における復水器の冷却管の養生に適用した場合であるが、他の機器等の補修時に適用できることは勿論である。
【符号の説明】
【００２２】
１：緩衝部材
２：袋体
２ａ：チャック
３：ペットボトル
１１：復水器
１２：発電機
１３：タービン
１４：冷却管
１５：ポンプ
１６：蒸気発生器
１７：ネット
１８：防災シート
１９：足場板
【図１】
2016121433.tif 000003
【図２】
2016121433.tif 000004
【図３】
2016121433.tif 000005
【図４】
2016121433.tif 000006